(57)【要約】【課題】便器本体に設置された状態のタンク本体に対してアクセスがし易く、メンテナンス性を向上させることができる共に、タンク本体における傾きやガタツキを抑制することができる水洗大便器を提供する。【解決手段】本発明の水洗大便器１は、便器本体２と、貯水タンク１０と、を有し、便器本体は、ボウル部２ａの後端２ｆよりも後方側に設けられて貯水タンクの少なくとも後方側の一部が収容される後方側タンク収容部Ｓ３と、ボウル部の後端よりも前方側且つ外側に設けられて貯水タンクの少なくとも前方側の一部が収容される前方側タンク収容部Ｓ１，Ｓ２と、を備えており、便器本体は、貯水タンクが後方側タンク収容部及び前方側タンク収容部のそれぞれに設置された状態で床面Ｆよりも上方に位置決めされるように、前方側タンク収容部に収容された貯水タンクを下側から支持する支持部５０Ａ，５０Ｂを備えている。【選択図】図２
2020165170.tif 000002
【特許請求の範囲】
【請求項１】
洗浄水により洗浄されて汚物を排出する水洗大便器であって、
汚物を受けるボウル部を備えた便器本体と、
この便器本体に供給する洗浄水を貯水する貯水タンクと、を有し、
上記便器本体は、上記ボウル部の後端よりも後方側に設けられて上記貯水タンクの少なくとも後方側の一部が収容される後方側タンク収容部と、上記ボウル部の後端よりも前方側且つ外側に設けられて上記貯水タンクの少なくとも前方側の一部が収容される前方側タンク収容部と、を含むタンク収容部を備えており、
上記貯水タンクは、上記タンク収容部に対して取り外し可能に設置され、
上記便器本体は、上記貯水タンクが上記後方側タンク収容部及び上記前方側タンク収容部のそれぞれに設置された状態で床面よりも上方に位置決めされるように、上記貯水タンクの前方側を下側から支持する支持部をさらに備えていることを特徴とする水洗大便器。
【請求項２】
上記支持部は、上記便器本体に対して一体的に形成されている請求項１記載の水洗大便器。
【請求項３】
上記便器本体は、上記後方側タンク収容部と上記前方側タンク収容部とを前後方向に区画する立壁部と、この立壁部に設けられて上記貯水タンクの前方側部分が挿入可能な開口部と、を備えており、
上記支持部は、上記立壁部及び上記開口部の一部を形成する請求項１又は２に記載の水洗大便器。
【請求項４】
上記開口部は、後方に向かって斜め上方に開口している請求項３記載の水洗大便器。
【請求項５】
上記貯水タンクの上面には、上記前方側タンク収容部に設置される前方側タンク部分の底面から上面までの高さ寸法が上記後方側タンク収容部に設置される後方側タンク部分の底面から上面までの高さ寸法よりも低くなるように段部が設けられている請求項３又は４に記載の水洗大便器。
【請求項６】
上記貯水タンクの底面と上記支持部との間には、緩衝部が設けられている請求項１乃至５の何れか１項に記載の水洗大便器。
【請求項７】
上記貯水タンクは、上記前方側タンク収容部に収容されて上記支持部により支持される第１貯水タンクと、上記後方側タンク収容部に収容される第２貯水タンクと、を備えており、上記第１貯水タンク及び上記第２貯水タンクは、互いに連結解除可能に連結されている別体部材である請求項１乃至６の何れか１項に記載の水洗大便器。
【請求項８】
上記貯水タンクは、上記後方側タンク収容部に設置されて上記ボウル部の後端よりも後方側且つ上記便器本体の横幅方向に形成されている後方タンク部と、この後方タンク部の左右前端の少なくとも一方から上記ボウル部の側方側を外側から取り囲むように前方へ延びて、その前端部が上記前方側タンク収容部に設置される側方タンク部と、を備えている請求項１乃至７の何れか１項に記載の水洗大便器。
【発明の詳細な説明】
【技術分野】
【０００１】
本発明は、水洗大便器に係り、特に、洗浄水により洗浄されて汚物を排出する水洗大便器に関する。
【背景技術】
【０００２】
近年、洗浄水により洗浄されて汚物を排出する水洗大便器においては、デザイン性の向上を目的として、洗浄水を貯水するタンクが組み込まれた便器本体全体の上端を可能な限り低く設計する、いわゆる、「ローシルエット化」への要望が高まっており、便器本体の後方に設けられる洗浄水タンクの高さを低くすることが求められている。
そこで、従来の水洗大便器としては、例えば、特許文献１に記載されているように、便器本体のローシルエット化を実現しつつタンク容量を確保するために、便器洗浄用の洗浄水が貯水される２つの別体の洗浄水タンク（第１タンク本体及び第２タンク本体）のそれぞれが互いに便器本体のボウル部の後方及び下方のそれぞれの収容スペースに収容されているものが知られている。
また、このような従来の水洗大便器を床面に設置する施工時には、まず、便器本体のボウル部及び排水トラップ部の下方の第２タンク本体を床面（より厳密には、緩衝部を介して床面）に設置した後に、この第２タンク本体に対して連通管を介して第１タンク本体を上方に取り付けるようになっている。
そして、これらの第１タンク本体及び第２タンク本体に対して便器本体を床面に設置するようになっている。
【先行技術文献】
【特許文献】
【０００３】
【特許文献１】特開２０１４−１９６６３６号公報
【発明の概要】
【発明が解決しようとする課題】
【０００４】
しかしながら、上述した従来の水洗大便器においては、特に、便器本体のボウル部及び排水トラップ部の下方の第２タンク本体が前後方向に長い形状であるため、第２タンク本体の上方に便器本体が設置されている状態では、第２タンク本体に対してアクセスがし難く、第２タンク本体の施工性やメンテナンス性が著しく損なわれるという問題がある。
【０００５】
そこで、本発明は、上述した従来の問題点を解決するためになされたものであり、便器本体に設置された状態のタンク本体に対してアクセスがし易く、メンテナンス性を向上させることができる共に、タンク本体における傾きやガタツキを抑制することができる水洗大便器を提供すること目的としている。
【課題を解決するための手段】
【０００６】
上述した課題を解決するために、本発明は、洗浄水により洗浄されて汚物を排出する水洗大便器であって、汚物を受けるボウル部を備えた便器本体と、この便器本体に供給する洗浄水を貯水する貯水タンクと、を有し、上記便器本体は、上記ボウル部の後端よりも後方側に設けられて上記貯水タンクの少なくとも後方側の一部が収容される後方側タンク収容部と、上記ボウル部の後端よりも前方側且つ外側に設けられて上記貯水タンクの少なくとも前方側の一部が収容される前方側タンク収容部と、を含むタンク収容部を備えており、上記貯水タンクは、上記タンク収容部に対して取り外し可能に設置され、上記便器本体は、上記貯水タンクが上記後方側タンク収容部及び上記前方側タンク収容部のそれぞれに設置された状態で床面よりも上方に位置決めされるように、上記貯水タンクの前方側を下側から支持する支持部をさらに備えていることを特徴としている。
このように構成された本発明においては、貯水タンクが便器本体のタンク収容部に対して取り外し可能に設置されていることに加えて、貯水タンクが後方側タンク収容部及び前方側タンク収容部のそれぞれに設置された状態では、便器本体の支持部が貯水タンクの前方側を下側から支持することができ、貯水タンクを床面よりも上方に位置決めすることができる。
したがって、例えば、貯水タンクを便器本体に設置する際の施工性を向上させることができる。
また、例えば、貯水タンク及び／又は貯水タンクの周辺部に対してメンテナンス等を行う際には、床面よりも上方の貯水タンクにアクセスがし易く、貯水タンクを便器本体に対して容易に着脱することができるため、メンテナンス性を向上させることもできる。
さらに、例えば、貯水タンクが、便器本体の後方側タンク収容部及び前方側タンク収容部のそれぞれに亘って設置されるように前後方向に延びた長尺な形状部分を備えていたとしても、前方側タンク収容部に収容された貯水タンクを便器本体の支持部によって下側から確実に支持することができる。
したがって、貯水タンクを便器本体のタンク収容部に確実に設置することができるため、設置された状態の貯水タンクの姿勢が傾くことを抑制し、貯水タンクのガタツキを確実に抑制することができる。
【０００７】
本発明において、好ましくは、上記支持部は、上記便器本体に対して一体的に形成されている。
このように構成された本発明においては、支持部が便器本体に対して一体的に形成されているため、支持部自体を便器本体に対して安定させて固定することができる。
したがって、前方側タンク収容部に収容された貯水タンクを便器本体の支持部によって下側から確実に支持することができるため、タンク収容部に設置された状態の貯水タンクの傾きやガタツキを確実に抑制することができる。
【０００８】
本発明において、好ましくは、上記便器本体は、上記後方側タンク収容部と上記前方側タンク収容部とを前後方向に区画する立壁部と、この立壁部に設けられて上記貯水タンクの前方側部分が挿入可能な開口部と、を備えており、上記支持部は、上記立壁部及び上記開口部の一部を形成する。
このように構成された本発明においては、貯水タンクの前方側部分が便器本体の前方側タンク収容部に設置される際に、貯水タンクの前方側部分が、後方側タンク収容部と前方側タンク収容部とを前後方向に区画する立壁部に設けられた開口部に挿入される。
これにより、貯水タンクの前方側部分は、開口部に挿入されて収容された状態では、開口部内で周囲が保持されると共に、開口部の一部を形成する支持部により下側から確実に支持された状態となる。よって、タンク収容部に設置された状態の貯水タンクの前方側部分の姿勢が上方や下方に傾くことを抑制することができる。
【０００９】
本発明において、好ましくは、上記開口部は、後方に向かって斜め上方に開口している。
このように構成された本発明においては、貯水タンクが、便器本体の後方側タンク収容部及び前方側タンク収容部のそれぞれに亘って設置されるように前後方向に延びた長尺な形状部分を備えていたとしても、開口部が後方に向かって斜め上方に開口しているため、貯水タンクの前方側部分を前方側タンク収容部に設置する際に開口部への差し込みをし易くすることができる。
したがって、貯水タンクの前方側部分を前方側タンク収容部に設置する際の施工性を向上させることができる。
【００１０】
本発明において、好ましくは、上記貯水タンクの上面には、上記前方側タンク収容部に設置される前方側タンク部分の底面から上面までの高さ寸法が上記後方側タンク収容部に設置される後方側タンク部分の底面から上面までの高さ寸法よりも低くなるように段部が設けられている。
このように構成された本発明においては、貯水タンクが、前方側タンク収容部に設置される前方側タンク部分から後方側タンク収容部に設置される後方側タンク部分まで前後方向に延びた長尺な形状部分があったとしても、貯水タンクの上面の段部により、前方側タンク部分の底面から上面までの高さ寸法を後方側タンク収容部に設置される後方側タンク部分の底面から上面までの高さ寸法よりも低くすることができる。
したがって、後方側タンク収容部に設置される後方側タンク部分については、その底面から上面までの高さ寸法を高くすることにより貯水タンクの容積を確保することができる。
一方、前方側タンク部分については、その底面から上面までの高さ寸法を低くすることにより、前方側タンク部分の開口部への差し込みをし易くすることができるため、施工性をより向上させることができる。
【００１１】
本発明において、好ましくは、上記貯水タンクの底面と上記支持部との間には、緩衝部が設けられている。
このように構成された本発明においては、タンク収容部に収容された貯水タンクが支持部によって支持された状態では、貯水タンクの底面と支持部との間に設けられた緩衝部により、貯水タンクが支持部に直接的に接触することを回避することができる。
したがって、貯水タンクが支持部に直接的に接触したことによる衝撃により支持部が破損してしまうことを抑制することができる。
【００１２】
本発明において、好ましくは、上記貯水タンクは、上記前方側タンク収容部に収容されて上記支持部により支持される第１貯水タンクと、上記後方側タンク収容部に収容される第２貯水タンクと、を備えており、上記第１貯水タンク及び上記第２貯水タンクは、互いに連結解除可能に連結されている別体部材である。
このように構成された本発明においては、貯水タンクの全体が前後方向に延びた長尺な形状部分を備えていたとしても、互いに別体である第１貯水タンクと第２貯水タンクとの互いの連結状態を解除することにより、まず、第１貯水タンクのみを前方側タンク収容部に単体で容易に収容した後、この第１貯水タンクを支持部で支持することができる。
その後、第２貯水タンクを第１貯水タンクに連結することにより、第２貯水タンクを後方側タンク収容部に対しても容易に設置することができる。これにより、第１貯水タンク及び第２貯水タンクの複数の部材からなる貯水タンクの全体を便器本体に対して容易に設置し、床面よりも上方に位置決めすることができる。
したがって、貯水タンクの全体が前後方向に延びた長尺な形状部分を備えた貯水タンクを便器本体に設置する際の施工性を向上させることができる。
【００１３】
本発明において、好ましくは、上記貯水タンクは、上記後方側タンク収容部に設置されて上記ボウル部の後端よりも後方側且つ上記便器本体の横幅方向に形成されている後方タンク部と、この後方タンク部の左右前端の少なくとも一方から上記ボウル部の側方側を外側から取り囲むように前方へ延びて、その前端部が上記前方側タンク収容部に設置される側方タンク部と、を備えている。
このように構成された本発明においては、貯水タンク全体がタンク収容部に収容されて設置された状態では、貯水タンクの後方タンク部がボウル部の後方側を外側から取り囲み、貯水タンクの側方タンク部がボウル部の側方側を外側から取り囲んだ状態となる。
したがって、便器本体のボウル部の後方や側方の外側スペースについて、貯水タンクを収容するタンク収容部に使用可能な有効スペースとして利用することができる。
また、このような有効スペースに適用可能な貯水タンクの後方タンク部及び側方タンク部の特有の形状により、貯水タンク全体の洗浄水の容量を確保することができると共に、便器本体と貯水タンクとを含む水洗大便器全体の小型化とローシルエット化を実現することができる。
【発明の効果】
【００１４】
本発明の水洗大便器によれば、便器本体に設置された状態のタンク本体に対してアクセスがし易く、メンテナンス性を向上させることができる共に、タンク本体における傾きやガタツキを抑制することができる。
【図面の簡単な説明】
【００１５】
【図１】本発明の第１実施形態による水洗大便器の全体構成図である。
【図２】本発明の第１実施形態による水洗大便器における貯水タンクを便器本体に組み込んだ状態を概略的に示す概略側面断面図である。
【図３】本発明の第１実施形態による水洗大便器の便器本体及び貯水タンクを斜め後方且つ上方から見た分解斜視図である。
【図４】本発明の第１実施形態による水洗大便器の便器本体の背面図である。
【図５】本発明の第２実施形態による水洗大便器における貯水タンクを便器本体に組み込んだ状態を概略的に示す概略側面断面図である。
【図６】本発明の第３実施形態による水洗大便器における貯水タンクを便器本体に組み込んだ状態を概略的に示す概略側面断面図である。
【発明を実施するための形態】
【００１６】
以下、添付図面を参照して、本発明の第１実施形態による水洗大便器について説明する。
まず、図１は、本発明の第１実施形態による水洗大便器の全体構成図である。
図１に示すように、本発明の第１実施形態による水洗大便器１は、便器本体２と、その後方側に設けられた洗浄水タンク（タンク装置４）と、を備えている。
また、便器本体２は、汚物を受けるボウル部２ａと、このボウル部２ａの底部から延びてボウル部２ａ内の汚物を排出する排水トラップ部（排水トラップ管２ｂ）と、ボウル部２ａの上縁に形成されるリム部２ｃと、を備えている。
【００１７】
つぎに、図１に示すように、タンク装置４は、その上流側及び下流側にそれぞれ接続された給水管６及び吐水管８をそれぞれ備えている。
給水管６の上流側は、水道等の外部の給水源（図示せず）に接続されている。一方、給水管６の下流側は、タンク装置４の貯水部（詳細は後述する貯水タンク１０）に接続されている。これらにより、給水管６から貯水タンク１０に洗浄水が供給されるようになっている。
また、給水管６には、上流側から下流側に向かって、止水栓１２、バルブユニット１４がそれぞれ設けられている。
さらに、バルブユニット１４は、給水管６に設けられた定流量弁１６、及び、この定流量弁１６の下流側に設けられたダイヤフラム式の電磁弁１８をそれぞれ含む。
【００１８】
つぎに、図１に示すように、タンク装置４は、さらに、給水管６のバルブユニット１４の下流側に接続されている連結ユニット２０と、この連結ユニット２０の下流側に接続されて貯水タンク１０を含むタンクユニット２２とを備えている。
バルブユニット１４において、定流量弁１６により流量が一定に調整された給水管６内の洗浄水は、電磁弁１８の開閉により連結ユニット２０を供給された後、連結ユニット２０からタンクユニット２２に供給されるようになっている。
【００１９】
また、図１に示すように、連結ユニット２０は、ハウジング２４と、オーバーフロー管２６と、逆止弁２８と、を備えている。
まず、ハウジング２４は、その下方開口部２４ａがタンクユニット２２の貯水タンク１０の上方開口部１０ａに着脱可能に接続されている
また、オーバーフロー管２６は、ハウジング２４の側壁の一部に設けられたオーバーフロー口２４ｂと吐水管８とを接続している。この吐水管８は、その上流側がタンク装置４のポンプ３０に接続されている接続管路であり、その下流側が便器本体２のリム部２ｃの内部の導水路（リム導水路２ｄ）に接続されている接続管路である。
さらに、逆止弁２８は、オーバーフロー口２４ｂに設けられており、ハウジング２４内の洗浄水がオーバーフロー口２４ｂからオーバーフロー管２６に流入することを可能にする一方、オーバーフロー管２６内の洗浄水がハウジング２４内へ逆流することを妨げることができるようになっている。
【００２０】
つぎに、図１に示すように、タンクユニット２２は、詳細は後述する貯水タンク１０と、ポンプ３０と、フロートスイッチ３２と、水抜き栓３４と、を備えている。
ポンプ３０は、吐水管８の上流側に接続されている接続管路（通水管３６）の一部（途中）に設けられている。この通水管３６の上流端３６ａは、貯水タンク１０内に設けられた吸引管３８の下流端３８ａに接続されている。
貯水タンク１０内に貯水されている洗浄水は、ポンプ３０が作動することにより、吸引管３８から通水管３６内に吸引された後、ポンプ３０を経て吐水管８に圧送されるようになっている。
そして、吐水管８から便器本体２のリム導水路２ｄに供給された洗浄水が、リム導水路２ｄの下流端の吐水口２ｅからボウル部２ａ内に吐水され、便器洗浄が行われるようになっている。
すなわち、互いが接続されている接続管路であるこれらの通水管３６及び吐水管８は、貯水タンク１０からポンプ３０によって圧送された洗浄水を便器本体２に供給する給水管路として機能するようになっている。
【００２１】
フロートスイッチ３２は、貯水タンク１０内の水位を検知するものであり、バルブユニット１４の電磁弁１８の開閉動作は、フロートスイッチ３２が検知した貯水タンク１０内の水位に基づいて制御されるようになっている。
例えば、フロートスイッチ３２が検知した貯水タンク１０内の水位が所定以下である場合には、電磁弁１８が開弁して給水管６が開放され、貯水タンク１０内の水位が所定水位まで到達すると、電磁弁１８が閉弁して給水管６が閉鎖されるようになっている。
【００２２】
水抜き栓３４は、貯水タンク１０の底面に設けられている。この水抜き栓３４は、通常使用時では、常時閉鎖されており、必要に応じて開放され、貯水タンク１０内の洗浄水を外部に排出することができるようになっている。
【００２３】
つぎに、図２〜図４を参照して、タンクユニット２２の貯水タンク１０、及び、この貯水タンク１０が組み込まれる便器本体２の詳細について説明する。
まず、図２は、図４は、本発明の第１実施形態による水洗大便器における貯水タンクを便器本体に組み込んだ状態を概略的に示す概略側面断面図である。また、図３は、本発明の第１実施形態による水洗大便器の便器本体及び貯水タンクの分解斜視図である。さらに、図４は、本発明の第１実施形態による水洗大便器の便器本体の背面図である。
図２に示すように、タンクユニット２２の貯水タンク１０は、貯水部を形成する単一のタンク本体４０と、このタンク本体４０の外側を覆う防露材４２とを備えている。
【００２４】
つぎに、図２及び図３に示すように、貯水タンク１０は、便器本体２の左右の幅（横幅）方向に形成されている後方タンク部４４と、この後方タンク部４４の左右前端からボウル部２ａの側方側を外側から取り囲むように前方へ延びるようにそれぞれ形成されている側方小タンク部４６及び側方大タンク部４８とを備えている。これらにより、貯水タンク１０は、平面視において、概ねＵ字形形状となっている。特に、側方小タンク部４６及び側方大タンク部４８については、前後方向に延びた長尺な形状に形成されている。
また、図２〜図４に示すように、便器本体２は、前方側タンク収容部Ｓ１，Ｓ２及び後方側タンク収容部Ｓ３をそれぞれ備えている。
さらに、便器本体２の前方側タンク収容部Ｓ１，Ｓ２は、ボウル部２ａの後端２ｆよりも前方側且つ外側に設けられており、貯水タンク１０の側方小タンク部４６及び側方大タンク部４８のそれぞれの前方側の一部が後方側から挿入されて収容可能となっている。
ちなみに、側方大タンク部４８の縦断面積は、側方小タンク部４６の縦断面積よりも大きく設定されており、側方大タンク部４８が収容される前方側タンク収容部Ｓ２の縦断面積は、側方小タンク部４６が収容される前方側タンク収容部Ｓ１の縦断面積よりも大きく設定されている。
一方、便器本体２の後方側タンク収容部Ｓ３は、ボウル部２ａの後端２ｆよりも後方側に設けられており、貯水タンク１０の後方タンク部４４、並びに、側方小タンク部４６及び側方大タンク部４８のそれぞれの後方側の一部が収容可能となっている。
これらにより、貯水タンク１０は、タンク収容部Ｓ１，Ｓ２，Ｓ３に対して取り外し可能に設置することができるようになっている。
また、図２に示すように、貯水タンク１０は、その前後方向の中央よりも前方側に設けられた前方側タンク部分Ｔ１と、この前方側タンク部分Ｔ１の後方側に設けられた後方側タンク部分Ｔ２と、を備えている。
なお、本明細書では、「貯水タンクの前方側」とは、貯水タンクの前後方向の中央よりも前方側であることを意味し、「貯水タンクの後方側」とは、貯水タンクの前後方向の中央よりも後方側であることを意味する。
【００２５】
つぎに、図２〜図４に示すように、便器本体２は、貯水タンク１０の前方側タンク部分Ｔ１を下側から支持する前側支持部５０Ａ，５０Ｂと、貯水タンク１０の後方側タンク部分Ｔ２を下側から後側支持部５２と、をそれぞれ備えている。これらの支持部５０Ａ，５０Ｂ，５２は、陶器製の便器本体２に対して一体的に形成されている。
より具体的には、図２〜図４に示すように、便器本体２のボウル部２ａの後方側には、立壁部５４が一体的に形成されている。
特に、前側支持部５０Ａ，５０Ｂのそれぞれは、便器本体２の前方側タンク収容部Ｓ１，Ｓ２と後方側タンク収容部Ｓ３とを前後方向に区画するボウル部２ａの後方側に立壁部５４の一部を形成すると共に、この立壁部５４を前後方向に貫くように形成された開口部５６，５８の一部を形成している。
また、後側支持部５２は、便器本体２の排水トラップ管２ｂの後方側に一体的に形成されており、水平方向に延びている。
なお、本実施形態では、便器本体２については、陶器で一体的に形成された陶器製の便器本体について説明するが、陶器製に限られず、樹脂材料等で一体的に形成されたものであってもよい。
これらにより、貯水タンク１０が前方側タンク収容部Ｓ１，Ｓ２及び後方側タンク収容部Ｓ３のそれぞれに設置される際には、まず、貯水タンク１０の側方小タンク部４６及び側方大タンク部４８のそれぞれが各開口部５６，５８に挿入されるようになっている。
そして、貯水タンク１０が前方側タンク収容部Ｓ１，Ｓ２及び後方側タンク収容部Ｓ３のそれぞれに設置された状態では、貯水タンク１０の側方小タンク部４６及び側方大タンク部４８のそれぞれが前側支持部５０Ａ，５０Ｂのそれぞれによって下側から支持されると共に、貯水タンク１０の後方タンク部４４が後側支持部５２によって下側から支持されることにより、貯水タンク１０の全体が床面Ｆよりも上方に位置決めされるようになっている。
【００２６】
つぎに、図２に示すように、貯水タンク１０の上面において、前方側タンク収容部Ｓ１，Ｓ２に設置される前方側タンク部分Ｔ１の上面６０と後方側タンク収容部Ｓ３に設置される後方側タンク部分Ｔ２の上面６２との間には、段部６４が両者６０，６２を接続するように設けられている。この段部６４により、前方側タンク部分Ｔ１の底面１０ｂから上面６０までの高さ寸法Ｈ１は、後方側タンク収容部Ｓ３に設置される後方側タンク部分Ｔ２の底面１０ｂから上面６２までの高さ寸法Ｈ２よりも低くなるように設定されている（Ｈ１＜Ｈ２）。
また、貯水タンク１０の底面１０ｂと前側支持部５０Ａ，５０Ｂとの間には、緩衝部６６が設けられている。
本実施形態では、緩衝部６６として、例えば、衝撃を吸収する可撓性部材等が採用した形態について説明するが、このような形態に限られず、タンク本体４０の外側の防露材４２の厚みを調整し、防露材４２の一部を緩衝部６６として兼用してもよい。
【００２７】
つぎに、図１〜図４を参照して、上述した本発明の第１実施形態による水洗大便器１の作用について説明する。
まず、本発明の第１実施形態による水洗大便器１によれば、貯水タンク１０が便器本体２のタンク収容部Ｓ１，Ｓ２，Ｓ３に対して取り外し可能に設置されていることに加えて、貯水タンク１０が前方側タンク収容部Ｓ１，Ｓ２及び後方側タンク収容部Ｓ３のそれぞれに設置された状態では、便器本体２の支持部５０Ａ，５０Ｂ，５２により支持された貯水タンク１０を床面Ｆよりも上方に位置決めすることができる。
したがって、例えば、貯水タンク１０を便器本体２のタンク収容部Ｓ１，Ｓ２，Ｓ３に設置する際の施工性を向上させることができる。
また、例えば、貯水タンク１０及び／又は貯水タンク１０の周辺部に対してメンテナンス等を行う際には、床面Ｆよりも上方の貯水タンク１０にアクセスがし易く、貯水タンク１０を便器本体２に対して容易に着脱することができるため、メンテナンス性を向上させることもできる。
さらに、貯水タンク１０の側方小タンク部４６及び側方大タンク部４８が、便器本体２の前方側タンク収容部Ｓ１，Ｓ２及び後方側タンク収容部Ｓ３のそれぞれに亘って設置されるように前後方向に延びた長尺な形状であっても、前方側タンク収容部Ｓ１，Ｓ２に収容された貯水タンク１０を便器本体２の支持部５０Ａ，５０Ｂによって下側から確実に支持することができる。
したがって、貯水タンク１０を便器本体２のタンク収容部Ｓ１，Ｓ２，Ｓ３に確実に設置することができるため、設置された状態の貯水タンク１０の姿勢が傾くことを抑制し、貯水タンク１０のガタツキを確実に抑制することができる。
【００２８】
また、本実施形態による水洗大便器１によれば、貯水タンク１０を下側から支持する支持部５０Ａ，５０Ｂ，５２が便器本体２に対して一体的に形成されているため、支持部５０Ａ，５０Ｂ，５２自体を便器本体２に対して安定させて固定することができる。
したがって、特に、前方側タンク収容部Ｓ１，Ｓ２に収容された貯水タンク１０の側方小タンク部４６及び側方大タンク部４８を便器本体２の前側支持部５０Ａ，５０Ｂによって下側から確実に支持することができる。これにより、タンク収容部Ｓ１，Ｓ２，Ｓ３に設置された状態の貯水タンク１０の傾きやガタツキを確実に抑制することができる。
【００２９】
さらに、本実施形態による水洗大便器１によれば、貯水タンク１０の前方側タンク部分Ｔ１が便器本体２の前方側タンク収容部Ｓ１，Ｓ２に設置される際に、貯水タンク１０の前方側タンク部分Ｔ１（側方小タンク部４６及び側方大タンク部４８の前方側部分）が、前方側タンク収容部Ｓ１，Ｓ２と後方側タンク収容部Ｓ３とを前後方向に区画する立壁部５４に設けられた開口部５６，５８のそれぞれに挿入される。
これにより、貯水タンク１０の前方側タンク部分Ｔ１（側方小タンク部４６及び側方大タンク部４８の前方側部分）は、各開口部５６，５８に挿入されて収容された状態では、各開口部５６，５８内で周囲が保持されると共に、各開口部５６，５８の一部を形成する前側支持部５０Ａ，５０Ｂにより下側から確実に支持された状態となる。
よって、タンク収容部Ｓ１，Ｓ２に設置された状態の貯水タンク１０の前方側タンク部分Ｔ１の姿勢が上方や下方に傾くことを抑制することができる。
【００３０】
また、本実施形態による水洗大便器１によれば、貯水タンク１０が、前方側タンク収容部Ｓ１，Ｓ２に設置される前方側タンク部分Ｔ１から後方側タンク収容部Ｓ３に設置される後方側タンク部分Ｔ２まで前後方向に延びた長尺な形状部分があったとしても、貯水タンク１０の前方側タンク部分Ｔ１の上面６０と後方側タンク部分Ｔ２の上面６２とを接続する段部６４により、前方側タンク部分Ｔ１の底面１０ｂから上面６０までの高さ寸法Ｈ１を後方側タンク収容部Ｓ３に設置される後方側タンク部分Ｔ２の底面１０ｂから上面６２までの高さ寸法Ｈ２よりも低くすることができる（Ｈ１＜Ｈ２）。
したがって、後方側タンク収容部Ｓ３に設置される後方側タンク部分Ｔ２については、その底面１０ｂから上面６２までの高さ寸法Ｈ２を高くすることにより貯水タンク１０の容積を確保することができる。
一方、前方側タンク部分Ｔ１については、その底面１０ｂから上面６０までの高さ寸法Ｈ１を後方側タンク部分Ｔ２の高さ寸法Ｈ２よりも低くすることにより、前方側タンク部分Ｔ１の各開口部５６，５８への差し込みをし易くすることができるため、施工性をより向上させることができる。
【００３１】
さらに、本実施形態による水洗大便器１によれば、タンク収容部Ｓ１，Ｓ２，Ｓ３に収容された貯水タンク１０が支持部５０Ａ，５０Ｂ，５２によって支持された状態では、貯水タンク１０の底面１０ｂと前側支持部５０Ａ，５０Ｂとの間に設けられた緩衝部６６により、貯水タンク１０の前方側タンク部分Ｔ１（側方小タンク部４６及び側方大タンク部４８の前方側部分）が前側支持部５０Ａ，５０Ｂに直接的に接触することを回避することができる。
したがって、貯水タンク１０の前方側タンク部分Ｔ１（側方小タンク部４６及び側方大タンク部４８の前方側部分）が前側支持部５０Ａ，５０Ｂに直接的に接触したことによる衝撃により前側支持部５０Ａ，５０Ｂが破損してしまうことを抑制することができる。
【００３２】
また、本実施形態による水洗大便器１によれば、貯水タンク１０の全体がタンク収容部Ｓ１，Ｓ２，Ｓ３に収容されて設置された状態では、貯水タンク１０の後方タンク部４４がボウル部２ａの後方側を外側から取り囲み、貯水タンク１０の側方タンク部４６，４８がボウル部２ａの側方側を外側から取り囲んだ状態となる。
したがって、便器本体２のボウル部２ａの後方や側方の外側スペースについて、貯水タンク１０を収容するタンク収容部Ｓ１，Ｓ２，Ｓ３に使用可能な有効スペースとして利用することができる。
さらに、このような有効スペースに適用可能な貯水タンク１０の後方タンク部４４及び側方タンク部４６，４８の特有の形状により、貯水タンク１０の全体の洗浄水の容量を確保することができると共に、便器本体２と貯水タンク１０とを含む水洗大便器１の全体の小型化とローシルエット化を実現することができる。
【００３３】
つぎに、図５を参照して、本発明の第２実施形態による水洗大便器について説明する。
図５は、本発明の第２実施形態による水洗大便器における貯水タンクを便器本体に組み込んだ状態を概略的に示す概略側面断面図である。
ここで、図５に示す本発明の第２実施形態による水洗大便器１００において、図１〜図４に示す本発明の第１実施形態による水洗大便器１と同一部分については同一の符号を付し、これらの説明については省略する。
また、図５に示す貯水タンク１０については、設置された状態を実線で示し、設置される途中の状態を鎖線で示している。
図５に示すように、本発明の第２実施形態による水洗大便器１００においては、貯水タンク１０の前方側タンク部分Ｔ１（側方小タンク部４６及び側方大タンク部４８の前方側部分）が挿入される便器本体１０２の開口部１５６，１５８が後方に向かって斜め上方に開口している構造が、本発明の第１実施形態による水洗大便器１の便器本体２の前後方向に開口している開口部５６の構造と異なっている。
【００３４】
上述した本発明の第２実施形態による水洗大便器１００によれば、貯水タンク１０が便器本体１０２の前方側タンク収容部Ｓ１，Ｓ２及び後方側タンク収容部Ｓ３のそれぞれに亘って設置されるように前後方向に延びた長尺な形状であっても、開口部１５６，１５８が後方に向かって斜め上方に開口しているため、貯水タンク１０の前方側タンク部分Ｔ１（側方小タンク部４６及び側方大タンク部４８の前方側部分）を前方側タンク収容部Ｓ１，Ｓ２に設置する際に各開口部１５６，１５８への差し込みをし易くすることができる。
したがって、貯水タンク１０の前方側タンク部分Ｔ１（側方小タンク部４６及び側方大タンク部４８の前方側部分）を前方側タンク収容部Ｓ１，Ｓ２に設置する際の施工性を向上させることができる。
【００３５】
つぎに、図６を参照して、本発明の第３実施形態による水洗大便器２００について説明する。
図６は、本発明の第３実施形態による水洗大便器における貯水タンクを便器本体に組み込んだ状態を概略的に示す概略側面断面図である。
ここで、図６に示す本発明の第３実施形態による水洗大便器２００において、図１〜図４に示す本発明の第１実施形態による水洗大便器１と同一部分については同一の符号を付し、これらの説明については省略する。
図６に示すように、本発明の第３実施形態による水洗大便器２００においては、貯水タンク２１０が、互いに連結解除可能に連結されている別体部材である第１貯水タンク（前側貯水タンク部材２１２）及び第２貯水タンク（後側貯水タンク部材２１４）をそれぞれ備えている構造が、本発明の第１実施形態による水洗大便器１の単一の貯水タンク１０の構造と異なっている。
すなわち、貯水タンク２１０が便器本体２０２のタンク収容部Ｓ１，Ｓ２，Ｓ２に設置される際には、まず、第２貯水タンク（後側貯水タンク部材２１４）に対して連結が解除された状態の第１貯水タンク（前側貯水タンク部材２１２）のみが、前方側タンク収容部Ｓ１である便器本体２の立壁部５４から前方に向かって凹んだ開口凹部２５６，２５８に収容され、前側支持部２５０Ａ，２５０Ｂにより支持されるようになっている。
そして、第２貯水タンク（後側貯水タンク部材２１４）について、その前端を第１貯水タンク（前側貯水タンク部材２１２）の後端に連結させることにより、第２貯水タンク（後側貯水タンク部材２１４）が後方側タンク収容部Ｓ３に収容され、後側支持部５２により支持されるようになっている。
【００３６】
上述した本発明の第３実施形態による水洗大便器２００によれば、第１貯水タンク（前側貯水タンク部材２１２）及び第２貯水タンク（後側貯水タンク部材２１４）からなる貯水タンク２１０の全体が、前後方向に延びた長尺な形状であっても、互いに別体である第１貯水タンク（前側貯水タンク部材２１２）と第２貯水タンク（後側貯水タンク部材２１４）との互いの連結状態を解除することにより、２つのタンク部材に分割することができる。
これにより、貯水タンク２１０を便器本体２０２のタンク収容部Ｓ１，Ｓ２，Ｓ２に設置する際には、まず、第１貯水タンク（前側貯水タンク部材２１２）のみを前方側タンク収容部Ｓ１，Ｓ２である開口凹部２５６，２５８のそれぞれに単体で容易に収容することができ、その後、この第１貯水タンク（前側貯水タンク部材２１２）のみを前側支持部２５０Ａ，２５０Ｂにより支持することができる。
つぎに、第２貯水タンク（後側貯水タンク部材２１４）の前端を第１貯水タンク（前側貯水タンク部材２１２）の後端に連結することにより、第２貯水タンク（後側貯水タンク部材２１４）を後方側タンク収容部Ｓ３に対しても容易に設置することができる。
これらにより、第１貯水タンク（前側貯水タンク部材２１２）及び第２貯水タンク（後側貯水タンク部材２１４）の複数の部材からなる貯水タンク２１０の全体を便器本体２０２に対して容易に設置し、床面Ｆよりも上方に位置決めすることができる。
したがって、貯水タンク２１０の全体が前後方向に延びた長尺な形状であっても、貯水タンク２１０を便器本体２に設置する際の施工性を向上させることができる。
【符号の説明】
【００３７】
１    本発明の第１実施形態による水洗大便器
２    便器本体
２ａ  ボウル部
２ｂ  排水トラップ管（排水トラップ部）
２ｃ  リム部
２ｄ  リム導水路
２ｅ  吐水口
２ｆ  ボウル部の後端
４    タンク装置（洗浄水タンク）
６    給水管
８    吐水管（接続管路、給水管路）
８ａ  吐水管の下流端
１０    貯水タンク（貯水部）
１０ａ  上方開口部
１０ｂ  貯水タンクの底面
１２    止水栓
１４    バルブユニット
１６    定流量弁
１８    電磁弁
２０    連結ユニット
２２    タンクユニット
２４    ハウジング
２４ａ  下方開口部
２４ｂ  オーバーフロー口
２６    オーバーフロー管
２８    逆止弁
３０    ポンプ
３２    フロートスイッチ
３４    水抜き栓
３６    通水管（接続管路、給水管路）
３６ａ  通水管の上流端
３８    吸引管
３８ａ  吸引管の下流端
４０    タンク本体（貯水部）
４２    防露材
４４    後方タンク部
４６    側方小タンク部
４８    側方大タンク部
５０Ａ  前側支持部（便器本体の支持部）
５０Ｂ  前側支持部（便器本体の支持部）
５２    後側支持部
５４    立壁部
５６    開口部
５８    開口部
６０    前方側タンク部分の上面
６２    後方側タンク部分の上面
６４    段部
６６    緩衝部
１００    本発明の第２実施形態による水洗大便器
１０２    便器本体
１５６    開口部
１５８    開口部
２００    本発明の第２実施形態による水洗大便器
２１２    貯水タンク
２１４    前側貯水タンク部材（第１貯水タンク）
２１６    後側貯水タンク部材（第２貯水タンク）
２５６    開口凹部
２５８    開口凹部
Ａ１  側方小タンク部の縦断面の断面積
Ａ２  側方大タンク部の縦断面の断面積
Ｆ    床面
Ｓ１  便器本体の前方側タンク収容部
Ｓ２  便器本体の前方側タンク収容部
Ｓ３  便器本体の後方側タンク収容部
Ｔ１  前方側タンク部分
Ｔ２  後方側タンク部分
【図１】
2020165170.tif 000003
【図２】
2020165170.tif 000004
【図３】
2020165170.tif 000005
【図４】
2020165170.tif 000006
【図５】
2020165170.tif 000007
【図６】
2020165170.tif 000008